(57)【特許請求の範囲】
【請求項１】
回転駆動装置と、
前記回転駆動装置によって、物品の搬送経路に沿って周回する無端チェーンと、
前記無端チェーンに取り付けられ、帯状の物品の載置面および被検出体を有する複数の物品支持体と、
前記物品支持体を支持するためのフレームと、
前記物品支持体に取り付けられ、物品支持体に沿って移動することによって物品を押すことができる物品横押し体と、
前記被検出体の移動経路に設けられ、被検出体の通過を検出する検出装置と、
を備え、
前記被検出体は物品支持体の端部に設けられており、１つの物品支持体は両端のそれぞれに被検出体が設けられ、他の物品支持体は一端または他端に被検出体が設けられ、
前記他の物品支持体において、被検出体の無い他端または一端には、フレームに案内されるサイドローラが設けられ、
前記一端に被検出体が設けられた物品支持体と他端に被検出体が設けられた物品支持体が、物品の搬送方向に交互に並べられた
物品の仕分け設備。
【請求項２】
前記被検出体が、載置面の反対側に取り付けられた請求項１の物品の仕分け設備。
【請求項３】
前記物品横押し体を搬送方向に沿って直進させるための直進用案内レールと、
前記物品横押し体を物品支持体に沿って移動させるための移動案内レールと、
前記物品横押し体を直進用案内レールまたは移動案内レールのいずれかに振り分ける手段と、
を備え、
前記検出装置が振り分ける手段よりも搬送方向の上流側に設けられた請求項１または２の物品の仕分け設備。
【請求項４】
前記検出装置は、
光を発する発光手段と、
前記光を受光する受光手段と、
を備え、
前記被検出体による光の遮光によって被検出体の検出をおこなう請求項１から３のいずれかの物品の仕分け設備。
【請求項５】
前記検出装置は、発光手段と受光手段がそれぞれ２つであり、各受光手段への光が遮光されたタイミングによって物品の搬送方向を求める請求項４の物品の仕分け設備。
【請求項６】
前記被検出体が板体である請求項１から５のいずれかの物品の仕分け設備。
【発明の詳細な説明】
【技術分野】
【０００１】
本発明は、物品の搬送途中で仕分けをおこなうための物品の仕分け設備に関するものである。
【背景技術】
【０００２】
従来、物流業界において種々の仕分け設備が開発・開示されている（下記の特許文献１など）。仕分け設備１００は、物品１６を載せて搬送するための複数のスラット（物品支持体）１８やスラット１８に取り付けられたシュー（物品横押し体）２０を備える（図９、図１０）。
【０００３】
スラット１８は、無端チェーン１４に取り付けられる。無端チェーン１４は駆動スプロケット１２ａと従動スプロケット１２ｂとの間に張られる。駆動スプロケット１２ａにモータが取り付けられている。モータによって駆動スプロケット１２ａが回転して、無端チェーン１４が周回する。
【０００４】
スラット１８は、物品１６の搬送方向に対して直交方向を向いている。スラット１８と無端チェーン１４の間に移動ローラ２４とサイドローラ２６が設けられている。無端チェーン１４が周回することによって、移動ローラ２４がスラット用レール２８に沿って移動する。また、サイドローラ２６が、横向き案内面３０に案内される。
【０００５】
シュー２０は、載置面３２側の上部３４、その反対側の下部３６、および上部３４と下部３６をつなげる側部３８を備える。シュー２０は、搬送方向に対する直交方向から断面視して１周しており、またスラット１８の一部を１周するように取り付けられる。シュー２０は、載置面３２に物品１６が載せられるときに、スラット１８のいずれか一端に配置されている。上部３４が物品１６を横押しする。下部３６はシュー２０をスラット１８に沿って移動させるために用いられる。下部３６には、回転軸４２が設けられ、回転軸４２に案内ローラ４４が自由に回転できるように取り付けられている。
【０００６】
仕分け設備１００には、シュー２０を移動させるために、図１１の分岐案内部１０２が複数設けられている。分岐案内部１０２は、直進用案内レール５０、移動案内レール５２、および振り分け手段１０４を備える。振り分け手段１０４に電磁石５６が備えられる。案内ローラ４４は磁性体を備え、電磁石５６に給電されると案内ローラ４４が電磁石５６に吸引される。案内ローラ４４は移動案内レール５２に案内され、シュー２０がスラット１８に沿って移動する。このとき、シュー２０が物品１６を搬送方向に対して直交方向に横押しする。物品１６が横押しされると、物品１６は分岐コンベヤ４８に移送される。
【０００７】
電磁石５６に給電されなければ、案内ローラ４４は直進用案内レール５０に沿って直進する。シュー２０はスラット１８に沿って移動することはない。
【０００８】
電磁石５６に対する給電の有無を決定するために、パルスエンコーダ１０６によって物品１６の移動距離を判別する方法が特許文献１に採用されている。パルスエンコーダ１０６が従動スプロケット１２ｂの回転軸に取り付けられている。パルスエンコーダ１０６が計数したパルス数によって無端チェーン１４の移動距離を計算する。物品１６が所定位置Ｐ１を通過してからのパルス数によって物品の移動距離を算出する。この算出によって、物品１６が所定の電磁石５６の位置Ｐ２まで到達した距離になった時に電磁石５６に給電をおこなう（図１２）。シュー２０がスラット１８に沿って移動して、物品１６が搬送方向に対して横押しされる。
【０００９】
しかし、無端チェーン１４の伸びによって、物品１６の移動距離の計算結果が実際の移動距離と異なる場合が生じる。パルス数の補正などをおこなっても、完璧ではない。物品１６の移動距離を正確に把握できなければ、物品１６を所定の位置で仕分けできないおそれがある。所定外のシュー２０が移動することによって、事故が発生する場合がある。
【先行技術文献】
【特許文献】
【００１０】
【特許文献１】特開２００９−２４９１２１号公報
【発明の概要】
【発明が解決しようとする課題】
【００１１】
本発明は、物品を所定箇所で確実に横押しするための物品の仕分け設備を提供することを目的とする。
【課題を解決するための手段】
【００１２】
本発明の物品の仕分け設備は、回転駆動装置と、前記回転駆動装置によって、物品の搬送経路に沿って周回する無端チェーンと、前記無端チェーンに取り付け られ、帯状の物品の載置面および被検出体を有する複数の物品支持体と、前記物品支持体を支持するためのフレームと、前記物品支持体に取り付けられ、物品支持体に沿って移動することによって物品を押す ことができる物品横押し体と、前記被検出体の移動経路に設けられ、被検出体の通過を検出する検出装置とを備える。
【００１３】
回転駆動装置が回転して、無端チェーンが搬送経路を周回する。無端チェーンに物品支持体が取り付けられており、物品支持体も周回する。物品支持体の上に物品が載せられ、物品が搬送される。搬送途中の分岐ポイントで物品横押し体が物品を横押しする。物品支持体の位置を把握するために、物品支持体に被検出体を取り付け、被検出体の検出装置を備える。
【００１４】
前記被検出体は物品支持体の端部に設けられており、１つの物品支持体は両端のそれぞれに被検出体が設けられ、他の物品支持体は一端または他端に被検出体が設けられ、前記他の物品支持体において、被検出体の無い他端または一端には、フレームに案内されるサイドローラが設けられている。両端に被検出体を設けられた物品支持体が検出の基準となる。
【００１５】
前記一端に被検出体が設けられた物品支持体と他端に被検出体が設けられた物品支持体が、物品の搬送方向に交互に並べられている。一端の被検出体の検出と他端の被検出体の検出を交互におこなう。
【００１６】
前記被検出体が、載置面の反対側に取り付けられている。物品の搬送に邪魔にならない載置面の反対側に被検出体を取り付ける。
【００１７】
前記物品横押し体を搬送方向に沿って直進させるための直進用案内レールと、前記物品横押し体を物品支持体に沿って移動させるための移動案内レールと、前記物品横押し体を直進用案内レールまたは移動案内レールのいずれかに振り分ける手段とを備える。前記検出装置が振り分ける手段よりも搬送方向の上流側に設けられる。被検出体を検出した後、物品の振り分けをおこなう。
【００１８】
前記検出装置は、光を発する発光手段と、前記光を受光する受光手段とを備える。前記被検出体による光の遮光によって被検出体の検出をおこなう。非接触で被検出体の検出をおこなう。
【００１９】
前記検出装置は、発光手段と受光手段がそれぞれ２つであり、各受光手段への光が遮光されたタイミングによって物品の搬送方向を求める。被検出体による遮光されたタイミングが、物品が搬送されている方向によって異なり、いずれの方向に向かって搬送されているかを認識できる。
【００２０】
前記被検出体が板体である。板体によって確実に遮光をおこなって、被検出体を検出する。
【発明の効果】
【００２１】
本発明は、物品支持体のそれぞれに検出板を取り付けて、検出板を検出装置で検出することによって物品支持体の位置を把握できる。無端チェーンが伸びても従来のようにパルスを計数しないため、所望の物品支持体の物品横押し体を移動させることができる。所定の位置で分岐させることができる。
【００２２】
被検出体による光の遮光を利用して物品支持体の位置を把握するため、構成が単純であり、故障を起こしにくい。物品支持体における被検出体の位置は、同一位置が連続しないようにしているため、高速搬送に対応できる。
【図面の簡単な説明】
【００２３】
【図１】本発明の物品の仕分け設備における検出板を示した図である。
【図２】物品の搬送を示す図である。
【図３】検出装置を備えた分岐案内部を示す図である。
【図４】スラットと検出板の位置関係を示す図である。
【図５】検出装置を示す図であり、（ａ）は側面図であり、（ｂ）は上面図である。
【図６】物品がスラットに載せられてから分岐されるまでを示す図である。
【図７】コンピュータと各制御装置との通信接続を示す図である。
【図８】被検出体としてサイドローラの回転軸を延長させた図である。
【図９】従来の物品の仕分け設備におけるスラットおよびシューを示す図である。
【図１０】従来の物品の搬送を示す図である。
【図１１】従来の分岐案内部を示す図である。
【図１２】従来のパルスをカウントして分岐させる図である。
【発明を実施するための形態】
【００２４】
本発明の物品の仕分け設備について図面を用いて説明する。搬送される物品は、直方体または立方体として説明する。
【００２５】
図１、図２に示す本発明の物品の仕分け設備１０は、回転駆動装置１２ａ、搬送経路を周回する無端チェーン１４、物品１６を載せて搬送するための複数のスラット（物品支持体）１８、およびスラット１８に取り付けられたシュー（物品横押し体）２０を備える。
【００２６】
回転駆動装置１２ａは、駆動スプロケットなどである。以下、駆動スプロケットを符号１２ａで示す。駆動スプロケット１２ａの駆動源としてモータが使用される。モータによって、駆動スプロケット１２ａが回転する。また、駆動スプロケット１２ａと所定間隔を隔てて従動スプロケット１２ｂを設ける。駆動スプロケット１２ａと従動スプロケット１２ｂは、搬送経路の両端とする。
【００２７】
無端チェーン１４が駆動スプロケット１２ａと従動スプロケット１２ｂにかみ合わされる。駆動スプロケット１２ａが回転することによって、無端チェーン１４が搬送経路に沿って周回する。周回する無端チェーン１４への接触事故を防止するために、無端チェーン１４の周囲にカバー２２を設ける。
【００２８】
スラット１８は、無端チェーン１４に取り付けられている。無端チェーン１４は２本であり、スラット１８が無端チェーン１４の間に掛け渡される。無端チェーン１４が搬送経路を周回するため、スラット１８も搬送経路を周回する。
【００２９】
スラット１８の両端部には、それぞれサイドブラケット２３が取り付けられる。サイドブラケット２３は板状で、折り曲げられて搬送方向視した断面がＬ字型になっている。このＬ字型は、載置面３２に対して同一方向を向いた水平部分ｘ１と載置面３２に対して直交方向を向いた直交部分ｙ１とである。直交部分ｙ１の端部がスラット１８の端部に、差し込み、ねじ止め、または溶接などで取り付けられる。サイドブラケット２３には移動ローラ２４とサイドローラ２６が取り付けられる。また、各スラット１８において、少なくとも１つのサイドローラ２６の代わりに検出板６０が取り付けられる。後述するように、検出板６０は、スラット１８の位置を把握するためのものである。
【００３０】
スラット１８を支持するために、フレーム２７を備える。フレーム２７には、移動ローラ２４が移動するためのスラット用レール２８とサイドローラ２６が案内されるための横向き案内面３０を備える。フレーム２７は、アルミ押し出し成形材などで構成する。上記のカバー２２は、フレーム２７に取り付けられる。移動ローラ２４とサイドローラ２６によって、スラット１８の周回を安定させる。
【００３１】
スラット１８は帯状に形成した物品の載置面３２を有する。スラット１８の長さ方向は、物品１６の搬送方向に対して直交方向である（図６）。載置面３２には、長さ方向を向いた溝を設ける場合もある。複数のスラット１８が搬送方向に並べられている。通常、物品１６に比べてスラット１８の幅が狭いため、物品１６は複数のスラット１８にまたがるようにして載置される。説明においてスラット１８の端部は、帯状の端部とする。
【００３２】
シュー２０は、載置面３２側の上部３４、その反対側の下部３６、および上部３４と下部３６をつなげる側部３８を備える。シュー２０は、搬送方向に対する直交方向から断面視して１周しており、またスラット１８の一部を１周するように取り付けられる。シュー２０は、載置面３２に物品１６が載せられるときに、スラット１８のいずれかの端部に配置されている。シュー２０がスラット１８に沿って移動できる。
【００３３】
シュー２０の上部３４は、搬送方向に対して傾斜した面４０を備えている。この傾斜した面４０によって物品１６を搬送方向に対して側方に押す。シュー２０の下部３６は、回転軸４２および回転軸４２に取り付けられた案内ローラ４４を備える。案内ローラ４４は、搬送方向に対して直進または斜方向に進む。案内ローラ４４が斜方向に進んだ時、シュー２０はスラット１８に沿って移動する。
【００３４】
物品１６を仕分けするために複数の分岐案内部４６が設けられる（図３）。分岐案内部４６でシュー２０が物品１６を押し、物品１６を分岐コンベヤ４８に導くことができる。またシュー２０を直進させて、物品１６の分岐をおこなわないこともできる。
【００３５】
分岐案内部４６には、案内ローラ４４の軌道となる２種類のレールが設けられる。これらのレールは、案内ローラ４４を搬送方向に沿って直進させるための直進用案内レール５０、および案内ローラ４４を搬送方向に対して斜方向に移動させるための移動案内レール５２である。
【００３６】
直進用案内レール５０は、搬送経路の両側に設けられる。直進用案内レール５０は、分岐案内部４６以外にも設けられており、搬送方向に沿った１本のレールとなっている。移動案内レール５２は、搬送方向に対して斜方向を向いている。案内ローラ４４が振り分け手段５４に導かれるように、振り分け手段５４の上流側に直進用案内レール５０と平行に並んだ始端案内レール５１が設けられ、案内ローラ４４はその間を通過する。
【００３７】
案内ローラ４４の材料は磁性体が含まれる。また、案内ローラ４４の軌道を選択するために、振り分け手段５４を備える。振り分け手段５４は、電磁石５６および永久磁石５８によって案内ローラ４４を吸着する装置である。電磁石５６は、一部が直進用案内レール５０と対向し、徐々に直進用案内レール５０から離れるようになっている。永久磁石５８は、電磁石５６と連続しており、移動案内レール５２の端部まで伸びている。
【００３８】
電磁石５６に給電をおこなって案内ローラ４４を吸着すると、永久磁石５８を介して移動案内レール５２に案内ローラ４４を導く。電磁石５６に給電をおこなわなければ、案内ローラ４４の吸着はなく、案内ローラ４４は直進用案内レール５０に沿って直進する。電磁石５６を使用するため、分岐の切り替えを瞬時におこなえる。
【００３９】
移動案内レール５２に沿って案内ローラ４４が斜方向に移動することによって、シュー２０がスラット１８に沿って移動し、物品１６を側方から押す。物品１６が徐々にスラット１８の端部に移動して、スラット１８の側方に設けられた分岐コンベヤ４８に移送される。
【００４０】
なお、移動したシュー２０を元の位置に戻すために、搬送経路の復路に、２本の直進用案内レール５０の間を案内ローラ４４が移動できるレールを設け、該レールによって、シュー２０を元の位置に戻す。物品１６がスラット１８の上に載せられた時、シュー２０はスラット１８の決められた端部に配置されている。
【００４１】
電磁石５６への給電の有無を決定するために、所望のシュー２０が振り分け手段５４まで来たことを検出する必要がある。そのために本発明は、上記のようにスラット１８の端部に取り付けられたサイドブラケット２７に検出板６０を取り付け、この検出板６０を検出する検出装置６２を備える。検出板６０を検出するタイミングによって、スラット１８の位置を把握する。
【００４２】
検出板６０は、載置面３２の反対側の端部に設けられる。端部に設けることによってシュー２０の移動の邪魔にならない。例えば、従来のサイドローラ２６が配置された位置に検出板６０を設ける。検出板６０は板状であり、平面が搬送方向に対して同一方向にあり、かつ、載置面３２に対して垂直方向を向くようにする。
【００４３】
図１では、検出板６０を折り曲げて、搬送方向視した断面をＬ字型にしている。このＬ字型は、載置面３２と同一方向を向いた水平部分ｘ２と載置面３２に直交方向を向いた直交部分ｙ２である。直交部分ｙ２が検出に利用される。また、水平部分ｘ１にねじ山を設け、サイドブラケット２３の水平部分ｘ１と検出板６０の水平部分ｘ２とが重ね合わされて、ボルト５９によって検出板６０をサイドブラケット２３に取り付けている。水平部分ｘ１にねじ山を設ける代わりにナットを用いても良い。ボルト５９の代わりに溶接によって取り付けたり、水平部分ｘ１と水平部分ｘ２に爪や穴などを設けて掛け止めや嵌め合わせなどして固定しても良く、その固定方法は特に問わない。さらに、サイドブラケット２３をＬ字型に折り曲げず、搬送方向視した断面をＩ字型にしても良い。サイドブラケット２３のスラット１８の取り付けられない端部を検出板６０として使用する。いずれの構成であっても、平面が搬送方向に対して同一方向にあり、かつ、載置面３２に対して垂直方向を向いた板が、スラット１８の端部に取り付けられた構成と同じになる。
【００４４】
図４に示すように、１つのスラット１８ａは両端部に検出板６０を設けて、それ以外のスラット１８ｂ、１８ｃは一端部または他端部のいずれかに検出板６０を設ける。両端部に検出板６０が設けられたスラット１８ａを基準とする。基準のスラット１８ａの検出板６０が検出装置６２で検出されると、最初から検出板６０の計数をおこなう。スラット１８が１周するたびに計数が繰り返される。
【００４５】
なお、特にスラットを区別して説明しない場合、符号１８ａ，１８ｂ，１８ｃは符号１８として説明する。スラット１８ａを１番として、搬送方向に沿って順番に番号が増えることとする。この番号は、スラット１８に取り付けられたシュー２０と検出板６０に共通とする。
【００４６】
一端部に検出板６０を有するスラット１８ｂと他端部に検出板６０を有するスラット１８ｃは交互に並べられる。スラット１８ｂは、他端部にサイドローラ２６が設けられる。スラット１８ｃは、一端部にサイドローラ２６が設けられる。１つの検出装置６２は、連続して同一端部の検出板６０を検出しないため、検出時間に余裕がある。物品１６の高速搬送に対応できる。
【００４７】
検出装置６２は、振り分け手段５４よりも搬送方向の上流側に設けられる。振り分け手段５４の上流側に直進用案内レール５０と平行に始端案内レール５１が設けられており、始端案内レール５１の上流端に検出装置６２が配置される。検出板６０を検出後にシュー２０の振り分けをおこなうためである。検出装置６２と振り分け手段５４との距離は、検出板６０を検出するための時間、物品１６の搬送速度、電磁石５６への給電時間などを考慮して決定する。複数の分岐案内部４６を備えるため、各振り分け手段５４に対して検出装置６２を設ける。
【００４８】
検出装置６２は２つであり、検出板６０の移動経路に設けられる。図１に示すように案内ローラ４４よりもスラット１８の端部側に検出板６０が設けられるため、図３では直進用案内レール５０よりも搬送経路の外側方向に検出装置６２を設けている。基準のスラット１８ａの２枚の検出板６０が同時に検出できるように配置する。スラット１８が搬送方向に対して直交方向を向いているため、搬送方向に対する直交線上に２つの検出装置６２が配置される。基準のスラット１８ａと他のスラット１８ｂ、１８ｃとで検出される検出板６０の数が異なるため、基準のスラット１８ａを他のスラット１８ｂ、１８ｃと区別することができる。
【００４９】
検出装置６２は、（ａ）検出板６０を検出し、（ｂ）検出板６０のカウントをおこない、（ｃ）カウントした値を振り分け手段５４に送る。スラット１８の幅、スラット１８同士の間隔、および検出装置６２から振り分け手段５４までの距離は設計時に決定されており、これらの値は変化することはない。これらの値によって、検出装置６２から振り分け手段５４までのスラット１８の数が既知となる。振り分け手段５４に検出板６０のカウントされた値を送り、カウントされた値から上記スラット１８の数を減算する。この減算によって、振り分け手段５４は振り分け手段５４に到達しているスラット１８の番号が分かる。従来のようにパルスを使用していないため、スラット１８のずれが生じにくい。
【００５０】
上記の減算をおこなった場合、０やマイナスとなる場合がある。スラット１８の総数は設計時に既知である。０になった場合、スラット１８の総数とする。マイナスになった場合、スラット１８の総数からマイナスになった分だけ減算する。
【００５１】
検出装置６２は、光を発する発光手段６４および光を受光する受光手段６６を備える（図５（ａ），（ｂ））。発光手段６４は、レーザーダイオードや発光ダイオードなどを使用する。受光手段６６はフォトダイオードやフォトトランジスタなどを使用する。発光手段６４と受光手段６６とを一定間隔で対向させる。発光手段６４と受光手段６６との間を検出板６０が通過する（図５（ｂ））。
【００５２】
発光手段６４で発せられた光は受光手段６６で受光される。発光手段６４と受光手段６６との間を検出板６０が通過する時、受光手段６６への光が遮光される。この遮光によって検出板６０の通過を検出できる。
【００５３】
検出装置６２の発光手段６４と受光手段６６は、それぞれ２個にして、搬送方向に並べる。各検出装置６２は、検出板６０を２回検出する。各受光手段６６で遮光される時間のずれによって、検出板６０の移動方向が分かる。検出板６０が搬送方向に対して順方向に移動している場合、検出板６０を検出するたびに１を加算する。基準のスラット１８ａを検出するたびに、基準のスラット１８ａを１として、加算をおこなう。検出板６０が搬送方向に対して逆方向に移動している場合、検出板６０を検出するたびに１を減算する。スラット１８の総数が既知であるため、基準のスラット１８ａを検出した次のスラット１８の番号を総数として、その後、総数から減算をおこなう。何らかの原因でスラット１８を逆方向に移動させても、スラット１８の位置を正確に認識することができる。
【００５４】
また、受光手段６６の間隔は一定である。２つの受光手段６６で遮光される時間のずれによって、検出板６０の移動速度も検出することができる。後述するように、コンピュータで種々の制御をおこなうが、所定の速度でスラット１８が移動しているか否かを確認することができる。
【００５５】
スラット１８の上に物品１６ｘの投入後、物品１６ｘが所定位置Ｐ１を通過したことを検出するための発光手段６８と受光手段７０を備える（図６）。発光手段６８と受光手段７０は上記の検出装置６２と同様のものであっても良い。遮光によって物品１６ｘを検出する。また、その所定位置には、上記の検出装置６２が設けられる。物品１６ｘを検出した時にカウントされた番号のスラット１８に物品１６ｘが載せられていることが分かる。
【００５６】
物品１６ｘにバーコードなどの識別マークを添付した場合に、上記の所定位置に、その読み取り手段を設ける。物品１６ｘとスラット１８を一致させるだけでなく、さらにスラット１８に乗せられた物品１６ｘの内容を一致させることができる。
【００５７】
スラット１８に物品１６ｙ、１６ｚを載置する前に、物品１６ｙ、１６ｚは搬入コンベヤ７２で搬送される。搬入コンベヤ７２には、物品１６ｚの幅と長さ計測するための光電スイッチ７４、７６が設けられている。搬送方向に対して光が９０°方向になった光電スイッチ７４と、搬送方向に対して光が斜方向になった光電スイッチ７６を使用する。搬送速度と各光電スイッチ７４，７６の遮光時間によって物品１６ｚの幅と長さを計算する。物品１６ｚの幅と長さを計算して、物品１６ｚを分岐コンベヤ４８に移送させる時のシュー２０の数を決定することができる。
【００５８】
物品１６ｚの幅と長さを求める手段は、光電スイッチ７４，７６を使用する以外に、ディジタルカメラで物品１６ｚの撮影をして、画像処理によって物品１６ｚの幅と長さを求めても良い。なお、物品を特に区別して説明しない場合、符号１６ｘ、１６ｙ、１６ｚは符号１６として説明する。
【００５９】
検出装置６２、振り分け手段５４、駆動スプロケット１２ａなどの上述した各手段の動作を制御するコンピュータ８０を備える（図７）。コンピュータ８０は、ソフトウェア、ハードウェア、またはその両方によって、後述するような動作をおこなう。
【００６０】
コンピュータ８０は、仕分け設備１０を制御する制御装置８２ａと通信をおこなう。また、この制御装置８２ａから検出装置６２などの制御装置８２ｂ、８２ｃ、８２ｄへ通信をおこなう。各制御装置８２ａ，８２ｂ，８２ｃ，８２ｄとしては、ＰＬＣ（Programmable Logic Controller）などが挙げられる。検出装置６２や振り分け手段５４は複数あるため、制御装置８２ｂ、８２ｃも各検出装置６２や振り分け手段５４に設けられる。
【００６１】
コンピュータ８０からの指令に基づいて検出装置６２などが駆動する。例えば、コンピュータ８０から制御装置８２ａに分岐をおこなう振り分け手段５４および物品１６が載せられたスラット１８の番号を送信する。制御装置８２ａから振り分け手段５４の制御装置８２ｃにスラット１８の番号が送信される。振り分け手段５４は、所定の番号で電磁石５６に給電をおこなうことが可能となる。
【００６２】
検出装置６２などの駆動状況がコンピュータ８０に送られ、コンピュータ８０のモニタに表示される。例えば、各検出装置６２が検出したスラット１８の番号が送られる。コンピュータ８０は、上述した方法で、スラット１８の番号から振り分け手段５４に到達しているスラット１８の番号を求めたり、受光手段７０の遮光された時間のずれから物品１６の搬送速度や搬送方向を求めても良い。また、送られてきた物品１６の大きさなどから分岐をおこなう時のシュー２０の数を決定する。
【００６３】
なお、コンピュータ８０から直接的に各手段の制御装置８２ａ，８２ｂ，８２ｃ，８２ｄに指令を送る構成であっても良い。コンピュータ８０は分岐コンベヤ４８などの他の装置も総合的に制御をおこなっても良い。
【００６４】
次に、物品の仕分け設備１０の動作について説明する。（１）物品１６ｙ、１６ｚが搬入コンベヤ７２からスラット１８の上に移送される。搬入コンベヤ７２では、物品１６ｚの大きさなどが測られる。
【００６５】
（２）スラット１８に移送された物品１６ｘは、搬送経路に沿って搬送される。搬送開始直後の所定位置Ｐ１で物品１６ｘが検出され、そのときに検出板６０もカウントされる。カウントされた値のスラット１８に物品１６ｘが載せられており、物品１６ｘとスラット１８とを関連づける。また、バーコードなどの識別マークを添付している場合、その識別マークを読み取る。
【００６６】
（３）コンピュータ８０から制御装置８２ａを介して、物品１６ｘを分岐させる分岐案内部４６の振り分け手段５４の制御装置８２ｃに、物品１６ｘが載せられたスラット１８の番号を送信する。
【００６７】
（４）検出装置６２は検出板６０を検出するたびにカウントをおこない、その値を振り分け手段５４に送る。搬送方向に対して順方向に物品が搬送されている場合、検出板６０を検出するごとに番号を増加させる。基準のスラット１８ａの検出板６０を検出するたびにカウントした値をリセットして、最初から番号を増加させる。
【００６８】
振り分け手段５４は、上述したように、カウントされた値から所定数を減算する。振り分け手段５４の電磁石５６の位置Ｐ２に到達しているスラット１８の番号を認識する。
【００６９】
（５）物品１６ｘを横押しするための所定の番号になれば、振り分け手段５４は電磁石５６に給電をおこなう。給電によってシュー２０の下部３６の案内ローラ４４が移動案内レール５２に導かれる。シュー２０がスラット１８に沿って移動する。シュー２０が物品１６ｘを押し、物品１６ｘは分岐コンベヤ４８に導かれる。
【００７０】
電磁石５６に給電がなければ、案内ローラ４４は直進用案内レール５０に沿って移動する。シュー２０がスラット１８に沿って移動することはない。
【００７１】
以上のように、本発明はスラット１８に取り付けた検出板６０によってスラット１８を個別に管理できる。分岐時のスラット１８の位置ずれが生じにくく、確実な分岐が可能となる。スラット１８ごとに検出板６０の位置が交互に変化するため、検出時間や処理時間に余裕ができ、高速搬送に対応できる。
【００７２】
以上、本発明について実施形態を説明したが、本発明は上述した実施形態に限定されない。例えば、従来からあるサイドローラ２６を取り付ける回転軸を延長することによって、サイドローラ２６から突出した回転軸６０ｂを検出板６０の代わりとする（図８）。この場合、サイドローラ２６はスラット１８の両端部に設けられる。その他、被検出体として遮光できるものであれば、形状などは限定されない。
【００７３】
検出板６０が取り付けられる位置は、スラット１８の端部に限定されない。物品１６の搬送、スラット１８の移動、シュー２０の移動に邪魔にならない位置であればどの位置であっても良い。
【００７４】
検出装置６２は、発光手段６４と受光手段６６をそれぞれ２つ使用したが、それぞれ１つであっても良い。検出板６０が移動している方向を検出することはせず、単純に検出板６０の通過のみを検出する。また、光を利用した非接触の検出に限定されず、検出板６０の接触による検出をおこなっても良い。
【００７５】
検出装置６２で検出板６０を検出およびカウントをおこなっていたが、検出した信号を振り分け手段５４に送り、振り分け手段５４でカウントをおこなっても良い。また、コンピュータ８０でカウントをおこない、コンピュータ８０の指令で振り分け手段５４が電磁石５６に給電できるようにしても良い。
【００７６】
振り分け手段５４は、電磁石５６を使用したが、機械的に直進用案内レール５０または移動案内レール５２に振り分けるスイッチであっても良い。
【００７７】
物品の仕分け設備１０は、搬送経路の一方側に分岐コンベヤ４８を備えたものに限定されず、搬送経路の両側に分岐コンベヤ４８を備えたものであっても良い。２本の移動案内レール５２が交差して、その両方に振り分け手段５４が設けられる。振り分け手段５４の電磁石５６の給電のタイミングは、上記の説明と同じである。
【００７８】
また、物品１６を分岐コンベヤ４８に移送する時に、物品１６が搬送経路に対して傾斜したが、物品１６を搬送経路に対して平行方向を保ったまま、分岐コンベヤ４８に移動させるものであっても良い。この場合、移動案内レール５２が複数平行に配置され、移動案内レール５２ごとに振り分け手段５４が設けられ、同時に振り分け手段５４の電磁石５６が給電される。この給電のタイミングは、上記の説明と同じである。
【００７９】
スラット１８、シュー２０、および検出板６０の表面に、検出板６０の番号を表示しても良い。操作者が移動するシュー２０の番号を認識できるようにする。
【００８０】
その他、本発明は、その主旨を逸脱しない範囲で当業者の知識に基づき種々の改良、修正、変更を加えた態様で実施できるものである。
【符号の説明】
【００８１】
１０：物品の仕分け設備
１２ａ：駆動スプロケット（回転駆動装置）
１２ｂ：従動スプロケット
１４：無端チェーン
１６、１６ｘ、１６ｙ、１６ｚ：物品
１８、１８ａ、１８ｂ、１８ｃ：スラット（物品支持体）
２０：シュー（物品横押し体）
３２：載置面
４２：回転軸
４４：案内ローラ（回転体）
４６：分岐案内部
５０：直進用案内レール
５２：移動案内レール
５４：振り分け手段
５６：電磁石
５８：永久磁石
６０：検出板（被検出体）
６２：検出装置
６４：発光手段
６６：受光手段 
【図１】
0005605555.tif 000002
【図２】
0005605555.tif 000003
【図３】
0005605555.tif 000004
【図４】
0005605555.tif 000005
【図５】
0005605555.tif 000006
【図６】
0005605555.tif 000007
【図７】
0005605555.tif 000008
【図８】
0005605555.tif 000009
【図９】
0005605555.tif 000010
【図１０】
0005605555.tif 000011
【図１１】
0005605555.tif 000012
【図１２】
0005605555.tif 000013